(57)【要約】      （修正有）【課題】ＬＥＤからの光の照明方向の設定と変更との操作が容易に行える照明具を提供する。【解決手段】内部に複数個のＬＥＤを内蔵する筒状の照明具本体３と、ＬＥＤに電気的に導通する接続用端子５が外面に突設された一対の側キャップ２とからなり、側キャップ２間に照明具本体３がその回転角度を自在として取り付けられてなることを特徴とする。【選択図】図１
0003159960.tif 000002
【実用新案登録請求の範囲】
【請求項１】
内部に複数個のＬＥＤを内蔵する筒状の照明具本体と、前記ＬＥＤに電気的に導通する接続用端子が外面に突設された一対の側キャップとからなり、前記側キャップ間に前記照明具本体が回転角度を自在として取り付けられてなることを特徴とする照明具。
【請求項２】
前記照明具本体の前記回転角度における位置決め機構を備える請求項１記載の照明具。
【請求項３】
前記回転角度の規制機構を備える請求項１または２記載の照明具。
【請求項４】
前記回転角度の表示部を備える請求項１または２または３記載の照明具。
【請求項５】
外観形態、寸法を従来の円筒状蛍光灯と同一とし、かつ、内部に交流／直流変換電源ユニットを内蔵している請求項１または２または３または４記載の照明具。
【考案の詳細な説明】
【技術分野】
【０００１】  この考案は、ＬＥＤを使用する照明具に関する。
【背景技術】
【０００２】  最近ではＬＥＤが使用された照明具が汎く用いられており、家庭や職場においても蛍光灯照明具に代えてＬＥＤ照明具が用いられるようになってきている。その際、ＬＥＤは光の照射方向に指向性を持つのでその照射方向が所望の方向となるように照明具を取り付ける必要があり、また、従来品の場合照射方向の変更が容易に行えなかった。
【考案の概要】
【考案が解決しようとする課題】
【０００３】  この考案は上記の点に鑑みて行ったもので、ＬＥＤからの光の照明方向の設定と変更との操作が容易に行える照明具を提供することを目的とする。【０００４】  この考案では、内部に複数個のＬＥＤを内蔵する筒状の照明具本体と、前記ＬＥＤに電気的に導通する接続用端子が外面に突設された一対の側キャップとからなり、前記側キャップ間に前記照明具本体がその回転角度を自在として取り付けられてなることを特徴とする照明具を提供する。【０００５】  上記構成の照明具によれば、照明具本体が回転されることでその光の照射方向が所望の方向とできる。これにより設置前、設置後において照明具の照射方向の設定と変更とが自在に行える。【０００６】  さらに、照明具本体の回転角度における位置決め機構を備える構成とされることで、照明具本体の回転の際の位置決めが安定して行われる。さらに、回転角度の規制機構を備える構成とされることで、照明具本体は回転作動角度が規制され、リード線等に過度な捻り力が及ぶことが回避され電気的接続構造の損傷が防止される。さらに、回転角度の表示部を備える構成とされることで、照明具本体はその表示を目安として回転角度を合わすことができる。回転角度表示は、目盛りのみであってもよく、また、数値表示であってもよい。さらに、接続用端子を含めその外観形態、寸法を従来の円筒状蛍光灯と同一とし、かつ、内部に交流／直流変換電源ユニットを内蔵している構成とされることで、現在使用されている円筒状蛍光灯との交換使用がなされる。外部に交流／直流変換電源が別途設けられる場合は、内部に交流／直流変換電源ユニットを内蔵しない構成のものが提供される。
【考案の効果】
【０００７】  この考案によれば、ＬＥＤからの光の照明方向の設定と変更との操作が容易に行える照明具が得られる。
【図面の簡単な説明】
【０００８】
【図１】  この考案の照明具の外観斜視図
【図２】  この考案の照明具の要部断面構成図
【図３】  この考案の照明具の要部分解構成図
【考案を実施するための形態】
【０００９】  図１はこの考案の照明具の外観斜視図、図２は同要部断面構成図、図３は同要部分解構成図である。
【００１０】  照明具１は一対の側キャップ２とその間に設けられる筒状の照明具本体３とからなる。側キャップ２はプラスチックス製で、外面に一対の接続用端子５が突設された円形のキャップ体７とそのキャップ体７が取り付けられる円形のベース体８とよりなる。
【００１１】  ベース体８には外面側に円形の環状壁部９が設けれ、キャップ体７はその環状壁部９に外嵌装着されネジ１１により固定され取り付けられている。また、ベース体８は環状壁部９内に位置する配線筒部１０を一体に備え、その配線筒部１０は軸方向に４本の割り溝１２を備えるとともに外周面に環状の係止溝１３を備えている。１４は配線筒部１０を環状壁部８に一体とするブリッジ部であり、その一部に上記ネジ端が固定される。さらに、ベース体８には円形開口１５が設けられ、その円形開口１５の周縁の４箇所には等間隔にＬ字型の切り込み部１７が設けられ、それら切り込み部１７に囲まれる位置には位置決め用突起１８のそれぞれが設けられ、その一つの位置決め用突起１８の外周位置には移動ガイドピン１９が突設されている。一対のリード線１６はその一端がキャップ体７の内面にハンダにより接続されて配線筒部１０内に配置されている。
【００１２】  照明具本体３は上面に複数のＬＥＤ２０が並設された回路プレート２１とその回路プレート２１の表面側覆うプラスチックス製の透光カバー２２と背面側を覆うアルミ製カバー２３と、それらの端部が取り付け固定される円形の固定部材２５とよりなる。
【００１３】  固定部材２５はその外面に内面側に連通する配線筒部２６が突出して設けられ、外面の配線筒部２６の周囲には位置決め用溝２７が放射状に設けられ、さらにその外側の半周位置には回転移動角度規制用の溝２９が半円形に設けられている。また、環状周壁３０の外面には目盛りによる回転角度表示３２が１５度毎になされている。上記位置決め用突起１８と上記位置決め用溝２７とが回転角度における位置決め機構を構成し、移動ガイドピン１９と回転移動角度規制用の溝２９とが回転角度の規制機構を構成する。
【００１４】  ３３のそれぞれは取り付けガイド片であり、その取り付けガイド片３３と環状周壁３０とに端部が挟持されて透光カバー２２とアルミ製カバー２３とが固定状態に取り付けられ、また、回路プレート２１はその両縁に取り付けられたアルミ製の型材３６がアルミ製カバー２３の内面に当接状態とされて固定される。３４は配線プレートで、その内面に回路プレート２１からのリード線３７が接続され、外面に側キャップ２からのリード線１６の他端が接続されている。
【００１５】  側キャップ２と照明具本体３の固定部材２５とは配線筒部２６内に配線筒部１０が嵌合されることで取り付けられており、配線筒部１０は割り溝１２があることで若干弾力的に縮径し、所定位置において配線筒部１０の係止溝１３に配線筒部２６の内周面に設けられた係止突起２４が弾力的に嵌合することで両者は互いに固定されている。また、その固定状態においては位置決め用突起１８のそれぞれが位置決め用溝２７それぞれに、移動ガイドピン１９が回転移動角度規制用の溝２９に嵌め込まれた状態となる。なお、側キャップ２と照明具本体３との組み立て前において、固定部材２５の配線筒部２６内から延び出すリード線１６をベース体８の配線筒部１０内を通すとともにその端部をキャップ体７の内面に接続しておく。
【００１６】  上記のように側キャップ２と照明具本体３の固定部材２５とが配線筒部２６内に配線筒部１０が嵌合されることで取り付けられていることで、側キャップ２と照明具本体３とは相対回転が可能で、これにより、側キャップ２間に照明具本体３がその回転角度を自在として取り付けられている。照明具本体３の回転の際の位置決めは、位置決め用突起１８が回転角に対応する位置決め用溝２７に嵌ることで安定して行われる。
【００１７】  したがって、照明具１はその接続用端子５が電源側端子に接続されて天井等に設置された状態において、照明具本体３が回転されることでその光の照射方向を所望の方向とできる。また、その方向があらかじめ判明している場合には、設置前において回転角度表示３２を目安として回転角度を合わすことができる。
【００１８】  また、照明具本体３の回転操作に際しては、移動ガイドピン１９が回転移動角度規制用の溝２９に嵌りその範囲に回転作動が規制されて、照明具本体３は１８０度においてのみの回転が可能となっている。このように照明具本体３の回転作動角度が規制されることで、リード線１６に過度な捻り力が及ぶことが回避され、その電気的接続構造の損傷が防止されるようになっている。
【００１９】  なお、この実施形態における照明具１は、接続用端子５を含めその外観形態、寸法を従来の円筒状蛍光灯と同一とし、かつ、内部に交流／直流変換電源ユニットを内蔵（回路プレート２１の下面に取り付け）していることで、現在使用されている円筒状蛍光灯との交換使用がなされる利点を備える。
【符号の説明】
【００２０】１    照明具
２    側キャップ
３    照明具本体
５    接続用端子
２０  ＬＥＤ
【図１】
0003159960.tif 000003
【図２】
0003159960.tif 000004
【図３】
0003159960.tif 000005
【手続補正書】
【提出日】平成22年3月4日(2010.3.4)
【手続補正１】
【補正対象書類名】実用新案登録請求の範囲
【補正対象項目名】全文
【補正方法】変更
【補正の内容】
【実用新案登録請求の範囲】
【請求項１】
内部に複数個のＬＥＤを内蔵する筒状の照明具本体と、前記ＬＥＤに電気的に導通する接続用端子が外面に突設された一対の側キャップとからなり、前記側キャップ間に前記照明具本体が回転角度を自在として取り付けられてなることを特徴とする照明具。
【請求項２】
前記照明具本体の前記回転角度における位置決め機構を備える請求項１記載の照明具。
【請求項３】
前記回転角度の規制機構を備える請求項１または２記載の照明具。
【請求項４】
前記回転角度の表示部を備える請求項１または２または３記載の照明具。
【請求項５】
外観形態、寸法を円筒状蛍光灯と同一とし、かつ、内部に交流／直流変換電源ユニットを内蔵している請求項１または２または３または４記載の照明具。